(57)【要約】【課題】窓ガラスの上端隅部及び下端隅部が破損するのを防止する。【解決手段】方立１の縦板部１２の左右両側に載置部材１３，１３′をそれぞれ設ける。載置部材１３，１３′は、所定の位置から下方へは移動不能とし、それより上側では上下方向へ移動可能とする。方立１の載置部材１３とこの方立１に隣接する他の方立１の載置部材１３′とによって横材２の両端部を支持させる。横材２の上に窓ガラスを載置する。【選択図】        図１
2005068658.tif 000002
【特許請求の範囲】
【請求項１】
躯体に互いに平行に立設された複数の方立と、各方立に所定の支持位置から下方へは移動不能に、かつ上記支持位置より上側の範囲では上下方向へ移動可能に設けられた載置部材とを備え、水平方向に隣接する二つの方立にそれぞれ設けられた二つの載置部材によって板材を支持する板材の支持構造において、
水平方向に隣接する二つの方立にそれぞれ設けられた二つの載置部材に横材の両端部をそれぞれ載置し、この横材の上に上記板材を載置したことを特徴とする板材の支持構造。
【請求項２】
上記方立が、上記板材より室外側に左右に隣接する二つの板部の互いに隣接する端部と対向するようにして設けられた上下方向に延びる縦押縁を有し、この縦押縁と上記方立の上記板材より室内側に位置する部分との間に、上記板材の左右方向の端部が臨む縦密封空間が形成され、左右に隣接する二つの横材間に上記縦密封空間の下端部を閉じる水受け部が形成され、上記縦押縁には、その下面から上方へ向かって延びる排水孔が形成され、上記縦押縁の室内側を向く面には、室内側の一端開口部が上記水受け部と対向し、他端部が上記排水孔に連通した連通孔が形成されていることを特徴とする請求項１に記載の板材の支持構造。
【発明の詳細な説明】
【０００１】
【発明の属する技術分野】
この発明は、窓ガラス、間仕切り用パネル等の板材を支持するための板材の支持構造に関する。
【０００２】
【従来の技術】
一般に、躯体の開口部に配置された多数の窓ガラスを支持する場合には、躯体の開口部に複数の方立が左右方向へ所定の間隔をもって立設される。各方立には、複数の載置部が上下方向へ所定間隔をもって設けられる。そして、隣接する二つの方立の同一高さに配置された載置部に窓ガラスの左右の下端部を載置することにより、窓ガラスが支持されるようになっている。
【０００３】
載置部は、窓ガラスを支持するために所定の位置から下方へは移動不能であるが、所定の位置から上側では上下方向へ移動可能になっている。これは、地震等に起因する層間変位によって窓ガラスが回転し、その結果窓ガラスの上端隅部が当該窓ガラスの上側に配置された載置部にぶつかって破損するのを防止するために採用されたものである（例えば、特許文献１参照。）。
【０００４】
【特許文献１】
特許第２９２２５１０号公報（第３頁、図７）
【０００５】
【発明が解決しようとする課題】
上記従来の支持構造では、窓ガラスの左右の下端両隅部が載置によって支持されているだけであるため、窓ガラスの下端両隅部にのみ応力が集中するという問題があった。
【０００６】
【課題を解決するための手段】
この発明は、上記の課題を解決するために、躯体に互いに平行に立設された複数の方立と、各方立に所定の支持位置から下方へは移動不能に、かつ上記支持位置より上側の範囲では上下方向へ移動可能に設けられた載置部材とを備え、水平方向に隣接する二つの方立にそれぞれ設けられた二つの載置部材によって板材を支持する板材の支持構造において、水平方向に隣接する二つの方立にそれぞれ設けられた二つの載置部材に横材の両端部をそれぞれ載置し、この横材の上に上記板材を載置したことを特徴としている。
この場合、上記方立が、上記板材より室外側に左右に隣接する二つの板部の互いに隣接する端部と対向するようにして設けられた上下方向に延びる縦押縁を有し、この縦押縁と上記方立の上記板材より室内側に位置する部分との間に、上記板材の左右方向の端部が臨む縦密封空間が形成され、左右に隣接する二つの横材間に上記縦密封空間の下端部を閉じる水受け部が形成され、上記縦押縁には、その下面から上方へ向かって延びる排水孔が形成され、上記縦押縁の室内側を向く面には、室内側の一端開口部が上記水受け部と対向し、他端部が上記排水孔に連通した連通孔が形成されていることが望ましい。
【０００７】
【発明の実施の形態】
以下、この発明の一実施の形態について図１〜図８を参照して説明する。これらの図に示す実施の形態は、この発明に係る板材の支持構造を建築物の躯体（図示せず）の開口部に配置された多数の窓ガラス（板材）の支持構造に採用したものである。勿論、この発明は、窓ガラス以外の板材の支持構造にも適用可能である。
【０００８】
躯体の開口部は、正面から見た形状が正方形又は長方形をなしており、その内面には開口部に対応した形状の枠体（図示せず）が設けられている。開口部の上面及び下面に沿う枠体の上枠部と下枠部との間には、図１に示す方立１がその長手方向を上下方向に向けて配置されている。方立１の上端部及び下端部は、枠体の上枠部と下枠部とにそれぞれ支持されている。方立１は、複数設けられている。各方立１は、左右方向へ所定の間隔毎に並んで配置されている。
【０００９】
図１及び図２に示すように、方立１は、断面長方形の筒状をなす方立本体１１を有している。方立本体１１の室外Ｏ（図４参照）側を向く側面の左右方向における中央部には、室外Ｏ側に向かって突出する縦板部１２が方立本体１１と一体に形成されている。この縦板部１２は、方立本体１１の全長にわたって延びている。
【００１０】
図２に示すように、縦板部１１の右方を向く一側面の方立本体１１側の端部には、載置部材１３が上下方向へ所定の間隔毎に配置されている。載置部材１３は、逆Ｌ字状をなしており、縦板部１２に沿って上下に延びるスライド板部１３ａと、このスライド板部１３ａの上端部から右方へ向かって水平に延びる支持板部１３ｂとから構成されている。スライド板部１３ａは、縦板部１２に室内外方向及び左右方向へは移動不能に、上下方向へは移動可能に設けられている。縦板部１２の左側面の載置部材１３より下側の箇所には、ストッパ１４がボルトＢ１等の固定手段によって固定されている。このストッパ１４にスライド板部１３ａの下端面が突き当たると、載置部材１３はそれ以上下方へ移動することができなくなっている。つまり、載置部材１３は、ストッパ１４より上側においてのみ上下方向へ移動可能になっている。
【００１１】
縦板部１２の左方を向く左側面には、載置部材１３′が設けられている。この載置部材１３′は、載置部材１３と左右対称である点を除き、載置部材１３と同様に構成されており、スライド板部１３ａ及び載置板部１３ｂを有している。しかも、載置部材１３′は、載置部材１３と同様に、縦板部１２の左側面に設けられたストッパ（図示せず）に突き当たることによって下方への移動が阻止され、ストッパより上側においてのみ上下方向へ移動可能になっている。載置部材１３′は、室内側方向においては載置部材１３と同一位置に配置されており、ストッパに突き当たっているときには、載置部材１３と上下方向において同一位置に位置している。
【００１２】
左右に隣接する二つの方立１，１の縦板部１２，１２間には、長手方向を左右方向に向けた横材２が水平に配置されている。横材２は、図４に示すように、断面四角形の筒状をなす本体部２１と、この本体部２１と一体に形成され、本体部２１の室外Ｏ側を向く側面から前方へ向かって突出する支持板部２２と、この支持板部２２の室外Ｏ側の端部に支持板部２２と一体に形成された水切板部２３とを有している。
【００１３】
本体部２１は、左右に隣接する方立１，１の縦板部１２，１２の間隔より若干短い長さを有している。したがって、本体部２１の端面と縦板部１２との間には、隙間が形成されている。本体部２１の左端開口部には、一の方立１に設けられた載置部材１３の支持板部１３ｂが挿入され、ボルトＢ２等の固定手段によって固定されている。本体部２１の右端開口部には、一の方立１に対して右側に隣接する方立１に設けられた載置部材１３′の支持板部１３ｂが挿入され、ボルトＢ２等の固定手段によって固定されている。この場合、本体部２１の両端部が互いに同一高さに配置された載置部材１３，１３′に固定されているのは勿論である。横材２の両端部は、載置部材１３，１３′に連結固定されているので、上下方向へ移動可能である。したがって、層間変位によって載置部材１３，１３′の一方が上方へ移動した場合には、載置部材１３又は１３′側の一端部を中心として他端部が上方向へ回動する。本体部２１の室内Ｉ側を向く面は、方立本体１１の室外Ｏ側を向く面に摺動可能に接触している。
【００１４】
支持板部２２は、横材２の全長にわたって水平に延びている。支持板部２２の上面及び下面は、水平面になっている。図１及び図４に示すように、支持板部２２の上面の室外側の端部には、板ガラスからなる窓ガラス（板材）３がシール部材Ｓ１を介して載置されている。したがって、窓ガラス３は、層間変位によって載置部材１３，１３′が相対的に上下方向へ移動すると、横部材２と供に回動変位する。窓ガラス３の上端面は、シール材Ｓ２を介して支持板部２２の下面に接触している。窓ガラス３の上端面の支持部材２２に対する接触箇所は、窓ガラス３の下端面が支持板部２２の上面に載置されている箇所と室内外方向において同一箇所になっている。
【００１５】
水切板部２３は、支持板部２２の全長にわたって形成されている。ただし、水切板部２３は、図１及び図５に示すように、切欠き部２３ａが形成されることによって複数に分断されている。切欠き部２３ａは、左右に隣接する二つの横材２，２間の部分と対向するように配置されている。切欠き２３ａの左右方向の長さは、横材２，２の間隔より広くなっている。水切板部２３の上面は、窓ガラス３の室外Ｏ側を向く面を滑り下りた雨水を室外Ｏ側へ向かって流すために、室外Ｏ側へ向かって下り勾配をなす傾斜面に形成されている。
【００１６】
図１に示すように、窓ガラス３より室外Ｏ側には、長手方向を上下方向に向けた複数の縦押縁１５が一直線上に並んで配置されている。この縦押縁１５は、方立１の一部をなすものであり、図１、図４及び図６に示すように、押え部１５ａと、この押え部１５ａの室内Ｉ側を向く面に押え部１５ａと一体に形成された連結板部１５ｂとを有している。
【００１７】
図１及び図４〜図６に示すように、押え部１５ａは、厚さの比較的厚い板状をなしており、その長手方向を上下方向に向けるとともに、その幅方向を左右方向に向けて配置されている。押え部１５ａの内部には、その上端面から下端面まで貫通する排水孔１５ｆが形成されている。この排水孔１５ｆの上端開口部は、栓体１５ｃによって閉じられている。排水孔１５ｆの下端開口部は、下方に向かって開放されている。押え部１５ａは、その左右方向の中央部が切欠き部２３ａの左右方向の中央部とほぼ一致するように配置されている。つまり、押え部１５ａは、その左右方向の中央部が左右に隣接する二つの窓ガラス３，３のほぼ中央に位置するように配置されている。しかも、押え部１５ａの左右方向の幅は、左右に隣接する二つの窓ガラス３，３の間隔より広く設定されている。したがって、押え部１５ａの室内Ｉ側を向く面の左右両側部は、左右方向に隣接する二つの窓ガラス３，３の室外Ｏ側を向く面の左右方向の各側部とそれぞれ対向している。押え部１５ａは、上下に隣接する二つの横材２の上下方向のピッチより若干短い長さを有している。この結果、上下に隣接する二つの押え部１５ａ，１５ａは、押え部１５ａの長さが横材２のピッチより短い分だけ上下方向に互いに離れて配置されている。図４に示すように、上下に隣接する二つの押え部１５ａ，１５の間に形成される隙間は、押え部１５ａ，１５ａの室内Ｉ側を向く面間に架け渡された遮蔽部材１６によって閉じられている。これにより、風雨が押え部１５ａ，１５ａ間の隙間から室内Ｉ側へ入り込むことが防止されている。押え部１５ａは、上下方向に関してはその下端縁より若干上側の部分が横材２と対向するように配置されている。この結果、押え部１５ａの下端部は、上下左右に隣接する４枚の窓ガラス３と対向している。
【００１８】
図１に示すように、連結板部１５ｂは、押え部１５ａの室内Ｉ側を向く面のほぼ中央部に配置されており、押え部１５ａの全長にわたって延びている。そして、連結板部１５ｂは、縦板部１２に対し、前後方向及び左右方向へは移動不能に連結されている。上下方向に関しては、後述するように、縦板部１２に対し所定の位置より下方へは移動不能になっているが、所定位置より上側では上下方向へ移動可能に連結されている。
【００１９】
図１に示すように、方立本体１１の室外Ｏ側を向く面と窓ガラス３との間には、長手方向を上下方向に向けた一対の押圧部材１７，１７′が配置されている。一対の押圧部材１７，１７′は、方立１の一部をなすものであり、縦板部１２を間にしてその右側と左側とにそれぞれ配置されている。一方の押圧部材１７は、断面「コ」字状をなしており、その開放部を縦板部１２側に向けた状態で配置されている。そして、縦板部１２に室内側方向及び左右方向には移動不能に、上下方向には移動可能に連結されている。押圧部材１７の長さは、上下に隣接する横材２，２の間隔より若干短くなっている。図３及び図４に示すように、押圧部材１７の下端面は、横部材２の本体部２１の上面にシール部材Ｓ３を介して載置されており、押圧部材１７の下端面と本体部２１の上面との間は、シール部材Ｓ３によって封止されている。押圧部材１７の上端面と本体部２１の下面との間は、シール部材Ｓ４によって封止されている。他方の押圧部材１７′は、一方の押圧部材１７と左右対称になっているのでその説明は省略する。勿論、押圧部材１７′の下面と横材２の本体部２１の上面との間、及び押圧部材１７′の上面と横材２の本体部２１の下面との間には、シール部材Ｓ３、Ｓ４がそれぞれ設けられている。押圧部材１７，１７′の各上下の端面と上下に隣接する横材２，２の各上下の面との間にシール部材Ｓ３，Ｓ４が設けられることにより、押圧部材１７，１７′は横材２と一緒に上下方向へ移動するようになっている。
【００２０】
図１及び図５に示すように、押え部１５ａの室内Ｉ側を向く面の左右の各側部と、当該各側部に対向する窓ガラス３，３の室外Ｏ側を向く面の左右の側部との各間には、シール部材Ｓ５がそれぞれ設けられている。シール部材Ｓ５は、最も上方に配置された縦押縁１５の上端縁から最も下方に配置された縦押縁１５の下端縁まで延びており、切欠き部２３ａの左右方向における端部を上下に貫通している。シール部材Ｓ５は、窓ガラス３の下端面と横材２の上面との間に設けられたシール部材Ｓ１、及び窓ガラス３の上端面と横材２の下面との間に設けられたシール部材Ｓ２と一体的に設けられている。すなわち、図７に示すように、窓ガラス３を室外側から見たとき、シール部材Ｓ５は、シール部材Ｓ１，Ｓ２の各端部と交差しており、当該交差部においてシール部材Ｓ５の室内Ｉ側を向く面とシール部材Ｓ１，Ｓ２の室外Ｏ側を向く面とが一体的に連続するよう、シール部材Ｓ５がシール部材Ｓ１，Ｓ２と一体に形成されている。この結果、窓ガラス３より室内Ｉ側に存する建築物の内部は、シール部材Ｓ１，Ｓ２，Ｓ５，Ｓ５によってシールされている。したがって、シール部材Ｓ１，Ｓ２、Ｓ５、Ｓ５が劣化してシール性が低下しない限り、窓ガラス３より室外Ｏ側の雨水が室内Ｉ側に侵入することはない。
【００２１】
図１及び図５に示すように、押圧部材１７と窓ガラス３との対向面間には、シール部材Ｓ６が設けられ、押圧部材１７′と窓ガラス３との間にはシール部材Ｓ７が設けられている。また、図４に示すように、窓ガラス３の室内Ｉ側を向く面の下端部とこれに対向する横材２の本体部２１の室外Ｏ側を向く面の上端部との間には、シール部材Ｓ８が設けられ、窓ガラス３の室内Ｉ側を向く面の上端部とこれに対向する横材２の本体部２１の室外Ｏ側を向く面の下端部との間には、シール部材Ｓ９が設けられている。図８に示すように、シール部材Ｓ６，Ｓ７の上下の各端部は、シール部材Ｓ８，Ｓ９の左右の両端部とそれぞれ連続して一体に形成されている。この結果、シール部材Ｓ６〜Ｓ９が窓ガラス３の室内Ｉ側を向く面をその周縁部に沿って環状にシールしているので、仮にシール部材Ｓ１，Ｓ２，Ｓ５の劣化によって窓ガラス３より内側に雨水が侵入したとしても、その雨水が窓ガラス３と押圧部材１７，１７′及び／又は窓ガラス３と横材２との間を通って室内Ｉに侵入することはない。シール部材Ｓ６〜Ｓ９は、一体に形成されているが、それぞれ別体に形成し、端部どうしを固着してもよい。
【００２２】
ここで、シール部材Ｓ５によるシール性が劣化して、押え部１５ａと窓ガラス３との間から雨水が内部に侵入すると、その雨水は、縦板部１２及び押圧部材１７，１７′を伝わって流れ、押圧部材１７，１７′と方立本体１１との接触面間から室内Ｉに侵入するおそれがある。そこで、押圧部材１７，１７′と方立本体１１との各接触面間にシール部材Ｓ１０をそれぞれ設けている。しかも、シール部材Ｓ１０の下端部をシール部材Ｓ３の室内Ｉ側の端面に押圧接触させるとともに、シール部材Ｓ１０の上端部をシール部材Ｓ４の室内Ｉ側の端面に押圧接触させている。これにより、方立本体１１と押圧部材１７，１７′の各間から雨水が室内Ｉに侵入するのを防止している。勿論、シール部材Ｓ１０は、方立本体１１の上端から下端まで延びている。
【００２３】
上記のようなシール構造が採用されることにより、二つの横材２，２の左右に隣接する端部と、当該二つの横材２，２に対して上側又は下側に隣接する二つの横材２，２の左右に隣接する端部との間には、方立本体１１、押圧部材１７，１７′、窓ガラス３，３及び縦押縁１５（押え部１５ａ）並びにシール部材Ｓ１〜Ｓ１０により上下方向に延びる縦密封空間Ｍ１が形成される（特に、図１及び図５参照）。この縦密封空間Ｍ１は、室内Ｉ及び室外Ｏに対して密封されている。縦密封空間Ｍ１の下端部は、図４に示すように、横材２の支持板部２２の上面、横材２の支持板部２２より上側に位置する室外Ｏ側を向く面、窓ガラス３及びシール部材Ｓ１，Ｓ８によって形成される水平方向に延びる下側横密封空間Ｍ２に連通し、縦密封空間Ｍ１の上端部は、横材２の支持板部２２の下面、横材２の支持板部２２より下側に位置する室外Ｏ側を向く面、窓ガラス３及びシール部材Ｓ２，Ｓ９によって形成される水平方向に延びる上側横密封空間Ｍ３に連通している。しかし、下側横密封空間Ｍ２及び上側横密封空間Ｍ３は、室内Ｉ及び室外Ｏに対して密封されている。したがって、縦密封空間Ｍ１は、上下の横密封空間Ｍ２，Ｍ３に連通してるものの、室内Ｉ及び室外Ｏに対しては密封されている。
【００２４】
なお、シール部材Ｓ１のシール性が劣化すると、室外Ｉ側の雨水が窓ガラス３の下端面と支持板部２２の上面との間から下側横密封空間Ｍ２に雨水が侵入することがあるが、この雨水が下側横密封空間Ｍ２から室内Ｉに侵入することはない。この点は、上側密封空間Ｍ３に侵入した雨水も同様である。
【００２５】
図２、図４及び図６に示すように、縦板部１２には、その室外Ｏ側の先端面から方立本体１まで達する切欠き部１２ａが形成されている。この切欠き部１２ａは、左右方向に隣接する二つの横材２，２に対応する位置に配置されている。切欠き部１２ａの上端は、横材２の上端より上側に位置し、下端は横材２の下端より上側ではあるが、支持板部２２より下側に位置している。図４及び図６に示すように、縦押縁１５の連結板部１５ｂの下端部には、その先端面（室内Ｉ側の面）から押え部１５ａまで達する切欠き部１５ｄが形成されている。この切欠き部１５ｄの上下方向における長さは、切欠き部１２ａの長さより長くなっており、切欠き部１５ｄの上下方向における中間部が切欠き部１２ａと対向している。したがって、切欠き部１５ｄの上端を区画する面（下方を向く面）は、切欠き部１２ａより上側に位置している。切欠き部１５ｄの上端を区画する面は、通常は、切欠き部１２ａに螺合固定されたねじ部材Ｂ３に突き当たっている。このときの縦押縁１５の位置が前述した所定の位置であり、縦押縁１５は縦板部１２に対して所定の位置から下方へは移動不能になっている。縦押縁１５は縦板部１２に対して所定の位置より上方に位置しているときには、上下方向へ移動可能になっている。なお、切欠き部１５ｄは、連結板部１５ｂの下端まで延びている。
【００２６】
切欠き部１２ａ，１５ｄが形成されることにより、左右に隣接する横材２，２の端面どうしが、切欠き部１２ａ，１５ｄを介して互いに対向している。図３に示すように、各横材２の対向する各端面には、端板２４が接着、溶接等の固定手段によって水密状態で固定されている。端板２４の室内外方向の長さは、本体部２１の室内Ｉ側の面から支持板部２２の室外Ｏ側の面までの距離と等しく設定されている。端板２４の上面は、室内外方向のいずれの箇所においても横材２の上面より若干上側に位置している。端板２４の上面のうちの本体部２１に対応する箇所は、室内Ｉ側から室外Ｏ側へ向かって下り勾配をなす傾斜面に形成されている。端板２４の上面のうちの支持板部２２に対応する箇所は、水平面になっている。この結果、端板２４の上面は、階段状をなしている。端板２４の上面は、横材２の対応する各部の上面と同一位置に位置させてもよい。端板２４の下面は、支持板部２２の下面とほぼ同一平面上に位置している。
【００２７】
端板２４，２４間には、シール部材４が設けられている。シール部材４は、端板２４，２４間の隙間全体にわたって充填されている。これにより、端板２４，２４間の隙間、換言すれば、左右に隣接する横材２，２の本体部２１の室内Ｉ側の面から支持板部２２の室外Ｏ側の面までの間に形成される隙間が、シール部材４によってシールされている。シール部材４は、端板２４，２４間の隙間全体にわたって充填されているので、左右方向から見たとき端板２４と同一寸法、同一形状に形成されている。しかも、シール部材４は、左右に隣接する横板２，２が相対的に上下方向へ移動したときに、その移動を許容し得るだけの弾性を有している。したがって、横材２，２の上下方向への移動によってシール部材４が破損することはない。
【００２８】
図１及び図４〜図６に示すように、縦押縁１５の押え部１５ａとこの押え部１５ａに切欠き部２３ａを介して対向する支持板部２２との対向面間には、シール部材５が設けられている。シール部材５の室内外方向における幅は、支持板部２２と押え部１５ａとの対向面間の距離と同一に設定されており、左右方向の長さはシール部材Ｓ５，Ｓ５間の距離と同一に設定されている。この結果、シール部材５は、室内外方向においては、支持板部２２の室外Ｏ側を向く面、窓ガラス３の室外Ｏ側を向く面、及び押え部１５ａの室内Ｉ側を向く面にそれぞれシール状態で接触し、左右方向においてはシール部材Ｓ５，Ｓ５の対向する内側の各面にシール状態で接触している。シール部材５の上面は、支持板部２２の上面と同一平面上に位置させられている。
【００２９】
シール部材４，５が設けられることにより、左右に隣接する二つの横材２，２の上方に延びる縦密封空間Ｍ１の下端部が閉じられている。すなわち、縦密封空間Ｍ１は、シール部材Ｓ３より内側（縦密封空間Ｍ１の内側）に位置する横材２の本体部２１及び支持板部２２、端板２４、シール部材４及びシール部材５によって閉じられており、それらによって水受け部６（図１、図５参照）が構成されている。したがって、仮にシール部材Ｓ５のシール性が劣化して押え部１５ａと窓ガラス３との間から雨水が縦密封空間Ｍ１内に入り込んだ場合、その雨水は縦密封空間Ｍ１に臨むいずれかの部材の内面を滑り下りて水受け部６によって受け止められ、それ以上下方へ向かうことはない。また、仮にシール部材Ｓ１のシール性が劣化して支持板部２２の上面と窓ガラス３の下面との間から室外Ｏ側の雨水が下側横密封空間Ｍ２に侵入した場合、その雨水は支持板部２２の上面を流れ、縦密封空間Ｍ１に至る。この場合、支持板部２２の上面を流れる雨水は、シール部材Ｓ８、Ｓ６又はシール部材Ｓ８，Ｓ７の下側を流れて縦密封空間Ｍ１に至る。さらに、シール部材Ｓ２のシール性が劣化して支持板部２２の下面と窓ガラス３の上面との間から室外Ｏ側の雨水が上側横密封空間Ｍ３に侵入した場合、その雨水はシール部材Ｓ９又は上側横密封空間Ｍ３に臨む横材２の内面上を流れて縦密封空間Ｍ１に至る。このように、室外Ｏに面するシール部材Ｓ１，Ｓ２，Ｓ５のいずれのシール性が低下して室外Ｏの雨水窓ガラス３よりが室内Ｉ側に侵入した場合であっても、その雨水は縦密封空間Ｍ１に至り、水受け部６によって受け止められる。
【００３０】
押え部１５ａには、その室内Ｉ側を向く面から内面まで貫通する連通孔１５ｅが形成されている。この連通孔１５ｅは、その一部がシール部材５の上面と対向するように配置されている。したがって、縦密封空間Ｍ１から水受け部６上に至った雨水は、シール部材５から連通孔１５ｅを通って排水孔１５ｆ内に流入する。排水孔１５ｆ内に入った雨水は、その下端開口部から外部に放出される。
【００３１】
上記構成の窓ガラス３の支持構造によれば、載置部材１３，１３′に横材２の両端部を載置し、この横材２の上に窓ガラス３を載置しているから、層間変位によって窓ガラス３の上端隅部が破損するのを防止することができるのは勿論のこと、横材２が窓ガラス３の下端面をその全長にわたって支持する。したがって、窓ガラス３の下端部に応力が集中することがなく、応力を窓ガラス３全体にわたって一様に作用させることができる。
【００３２】
また、この実施の形態の支持構造においては、外部に面するシール部材Ｓ１，Ｓ２，Ｓ５のシール性が劣化し、その結果室外Ｏの雨水が縦密封空間Ｍ１、上下の横密封空間Ｍ２，Ｍ３に入り込んだとしても、それらの雨水が水受け部６によって受け止められる。そして、連通孔１５ｅから押え部１５ａの内部に入り込み、押え部１５ａの下端開口部から外部に放出される。ここで、仮に水受け部６、連通孔１５ａ及び押え部１５ａの内部による排水路が形成されていなかったものとすると、侵入した全ての雨水が方立１内を通って建築物の最下層まで流れるため、最下層において多量の水が溜まり、それが室内に侵入するおそれがある。この点、この実施の形態では、左右に隣接する横材２，２間に水受け部６が設けられているので、窓ガラス３より室内Ｉ側に侵入した雨水は、水流し部６によって受け止められて外部に排出され、建築物の最下層まで流れることがない。したがって、最下層において雨水が室内Ｉに侵入するのを確実に防止することができる。
【００３３】
なお、この発明は、上記の実施の形態に限定されるものでなく、適宜変更可能である。
例えば、上記の実施の形態においては、排水孔１５ｆを押え部１５ａの上端面から下端面まで貫通させているが、押え部１５ａの下端面から連通孔１５ｅまで延びる孔として形成してもよい。
【００３４】
【発明の効果】
以上説明したように、この発明によれば、窓ガラスの下端隅部に応力が集中するのを防止することができるという効果が得られる。
【図面の簡単な説明】
【図１】この発明の一実施の形態の要部を示す透視斜視図である。
【図２】同要部の一部省略斜視図である。
【図３】同要部を示す図であって、図４のＸ−Ｘ線に沿う断面図である。
【図４】図３のＸ−Ｘ線に沿う断面図である。
【図５】図４のＹ−Ｙ線に沿う断面図である。
【図６】図３のＹ−Ｙ線に沿う断面図である。
【図７】窓ガラスを室外側から見たときの窓ガラスとシール部材との関係を示す図である。
【図８】窓ガラスを室内側から見たときの窓ガラスとシール部材との関係を示す図である。
【符号の説明】
Ｍ１  縦密封空間
１  方立
２  横材
３  窓ガラス
６  水受け部
１３  載置部材
１３′  載置部材
１５  縦押縁
１５ｅ  連通孔
１５ｆ  排水孔
【図１】
2005068658.tif 000003
【図２】
2005068658.tif 000004
【図３】
2005068658.tif 000005
【図４】
2005068658.tif 000006
【図５】
2005068658.tif 000007
【図６】
2005068658.tif 000008
【図７】
2005068658.tif 000009
【図８】
2005068658.tif 000010